(57)【要約】【課題】少ないパーツで安価に製造でき、かつ、シリンダ部の全長が短くても鍵違い数の多いピンシリンダ錠を提供する。【解決手段】ピンシリンダ錠は、軸線方向に伸長する貫通孔を有し、内周面に凹部を有する外装部材と、軸線方向に沿った鍵孔が設けられ、半径方向に貫通して鍵孔に至る複数のピン孔が形成され、外装部材の内周面に回動自在に嵌挿された内筒部材と、内筒部材の外周部にバネにより外側へ付勢するように設けられ、底面の外表面に凹部に嵌入可能な凸部を有するロック部材と、複数のピン孔に摺動可能に収容され、外周にリング状凹溝を有する複数のピンとを備え、対応する鍵が鍵孔に挿入された状態で、ロック部材の凸部が内筒部材内に収容可能となって内筒部材が回動可能となるように構成されている。【選択図】図１
2017193832.tif 000002
【特許請求の範囲】
【請求項１】
軸線方向に伸長する貫通孔を有し、内周面に凹部を有する外装部材と、
軸線方向に沿った鍵孔が設けられ、半径方向に貫通して前記鍵孔に至る複数のピン孔が形成され、前記外装部材の内周面に回動自在に嵌挿された内筒部材と、
前記内筒部材の外周部にバネにより外側へ付勢するように設けられ、底部の外表面に前記凹部に嵌入可能な凸部を有するロック部材と、
前記複数のピン孔に摺動可能に収容され、外周面にリング状凹溝を有する複数のピンとを備え、
対応する鍵が前記鍵孔に挿入された状態で、前記ロック部材の前記凸部が前記内筒部材内に収容可能となって前記内筒部材が回動可能となるように構成されていることを特徴とするピンシリンダ錠。
【請求項２】
前記ロック部材は、前記底部と、該底部の両端から垂直方向に延びる１対の側部とを有する軸線方向視Ｕ字形状を備えており、対応する鍵が前記鍵孔に挿入された状態で、前記１対の側部が前記複数のピンの前記リング状凹溝内に挿入可能となるように構成されていることを特徴とする請求項１に記載のピンシリンダ錠。
【請求項３】
前記内筒部材の外周部の互いに対向する２つの位置にそれぞれ前記ロック部材が設けられていることを特徴とする請求項１又は２に記載のピンシリンダ錠。
【請求項４】
前記内筒部材を外装部材に対して回動可能に保持するリング状の内筒保持部材をさらに備えていることを特徴とする請求項１から３のいずれか１項に記載のピンシリンダ錠。
【請求項５】
前記ロック部材は、クリックボールとして機能するように構成されていることを特徴とする請求項１から４のいずれか１項に記載のピンシリンダ錠。
【請求項６】
前記外装部材の背面側を覆う裏カバーと、前記鍵又は前記内筒部材に係合可能であり、前記鍵又は前記内筒部材により回動されるテールピース部材とをさらに備えていることを特徴とする請求項１から５のいずれか１項に記載のピンシリンダ錠。
【発明の詳細な説明】
【技術分野】
【０００１】
本発明は、鍵を挿入して回動することにより施錠及び解錠動作するシリンダ錠に関し、特に、ピン状のタンブラを使用するピンシリンダ錠に関する。
【背景技術】
【０００２】
シリンダ錠は、本体部分が円筒形状を有しており、錠ケースに固定する外筒と、可動式の内筒とが入れ子状になっており、タンブラ（障害子）の動きによって内筒が回転することで、カムを介してデッドボルトを動かして施解錠する。タンブラの形状や作動原理によって、ピンタンブラ方式、ディスクタンブラ方式などの種類がある。
【０００３】
ピン状のタンブラを使用するピンシリンダ錠は、外筒部から内筒部へ向けて突出している高さの違うピンが、対応するキーを挿入すると内筒部へ収まり、シャーラインが合うことにより、内筒部が回転可能となる。内筒部をキーで回転させると、動きが外部へ伝達されて施錠・開錠が可能となる。対応しないキーをシリンダへ挿入した場合、ピンが内筒部へ収容されずシャーラインが合わないため、内筒部は回転できず、施錠・開錠は実施できない（例えば、特許文献１）。
【先行技術文献】
【特許文献】
【０００４】
【特許文献１】特許第４１４５４８３号公報
【発明の概要】
【発明が解決しようとする課題】
【０００５】
しかしながら、このような従来のピンシリンダ錠は、構造上、内筒部・外筒部をさらに外側の外装部に組み込む必要があり、パーツが多かった。
【０００６】
また、従来のピンシリンダ錠は、1つのピン穴の中で上下２種類の高さの違うピンを組み合わせており、下ピンが内筒側へ、上ピンが外筒側へ移動してシャーラインが合うが、２種類のピンを組み込むのは煩雑であり、製造コストも高かった。
【０００７】
さらに、従来のピンシリンダ錠は、施錠状態・開錠状態でクリックさせる場合、シリンダ後端部にクリックボールなどを組み込んでおり、シリンダの全長が長くなるため、多くの場合はドアや引戸の表面から突出しており、美観を損ねると共に、引戸に使用した場合、引戸を全開するとシリンダが枠に当たるという不都合が生じていた。
【０００８】
従って、本発明の目的は、少ないパーツで安価に製造できるピンシリンダ錠を提供することにある。
【０００９】
本発明の他の目的は、シリンダ部の全長が短くても鍵違い数の多いピンシリンダ錠を提供することにある。
【課題を解決するための手段】
【００１０】
本発明によれば、ピンシリンダ錠は、軸線方向に伸長する貫通孔を有し、内周面に凹部を有する外装部材と、軸線方向に沿った鍵孔が設けられ、半径方向に貫通して鍵孔に至る複数のピン孔が形成され、外装部材の内周面に回動自在に嵌挿された内筒部材と、内筒部材の外周部にバネにより外側へ付勢するように設けられ、底部の外表面に凹部に嵌入可能な凸部を有するロック部材と、複数のピン孔に摺動可能に収容され、外周にリング状凹溝を有する複数のピンとを備え、対応する鍵が鍵孔に挿入された状態で、ロック部材の凸部が内筒部材内に収容可能となって内筒部材が回動可能となるように構成されている。
【００１１】
外装部材の内周面に凹部を有し、内筒部材は外装部材の内周面に回動自在に嵌挿され、底部の外表面に凹部に嵌入可能な凸部を有するロック部材は内筒部材の外周部にバネにより外側へ付勢するように設けられ、複数のピンは外周にリング状凹溝を有し、複数のピン孔にそれぞれ摺動可能に収容され、対応する鍵が鍵孔に挿入された状態で、ロック部材の凸部が内筒部材内に収容可能になり、内筒部材が回動可能となるように構成されていることにより、従来のシリンダ錠のように外筒部を設ける必要がなく、少ないパーツで安価に製造することができる。しかも、シリンダ部の全長が短くても鍵違い数の多くなり、その結果、扉又は引戸の表面からの突出量が少なく、美観を損ねることがなく、引戸に使用される場合は、開錠後に引戸を全開する場合も戸袋内に収まることができ、シリンダ部の衝突による破損もなくかつ衝突を回避するための引き残しを設定する必要もないため、枠内で引戸を最大限に活用できる。
【００１２】
ロック部材は、底部と、この底部の両端から垂直方向に延びる１対の側部とを有する軸線方向視Ｕ字形状を備えており、対応する鍵が鍵孔に挿入された状態で、１対の側部が複数のピンのリング状凹溝内に挿入可能となるように構成されていることが好ましい。このようにロック部材の１対の側部がリング状凹溝内に挿入されることにより、ロック部材の凸部が内筒部材に収容される。
【００１３】
内筒部材の外周部の互いに対向する２つの位置にそれぞれ前記ロック部材が設けられていることが好ましい。これにより、ピンの数を増やすことができ、鍵違い数の多いピンシリンダ錠を製造することができる。
【００１４】
内筒部材を外装部材に対して回動可能に保持するリング状の内筒保持部材をさらに備えていることが好ましい。これにより、内筒部材を簡単に装着でき、この内筒部材が外装部材から抜け出すことを確実に阻止することができる。
【００１５】
ロック部材は、クリックボールとして機能するように構成されていることも好ましい。これにより、従来のようにシリンダ後端部にクリックボールを設ける必要がなく、シリンダ全長を短縮することができ、そのため、装着されるドアや引戸の表面から大きく突出することがなく、デザイン性を向上することができる。
【００１６】
外装部材の背面側を覆う裏カバーと、鍵又は内筒部材に係合可能であり、鍵又は内筒部材により回動されるテールピース部材とをさらに備えていることが好ましい。これにより、レバー錠、鎌錠、ロッカー錠などを容易に構成することができる。
【発明の効果】
【００１７】
本発明のピンシリンダ錠によれば、外装部材の内周面に凹部を有し、内筒部材は外装部材の内周面に回動自在に嵌挿され、底辺の外表面に凹部に嵌入可能な凸部を有するロック部材は内筒部材の外周部にバネにより外側へ付勢するように設けられ、外周面にリング状凹溝を有する複数のピンは複数のピン孔にそれぞれ摺動可能に収容され、対応する鍵が鍵孔に挿入された状態で、ロック部材の凸部が内筒部材内に収容可能になり、内筒部材が回動可能になるように構成されていることで、従来のシリンダ錠のように外筒部を設ける必要がなく、少ないパーツで安価に製造することができる。しかも、シリンダ部の全長が短くても鍵違い数の多くなり、その結果、扉又は引戸の表面からの突出量が少なく、美観を損ねることがなく、引戸に使用される場合は、開錠後に引戸を全開する場合も戸袋内に収まることができ、シリンダ部の衝突による破損もなくかつ衝突を回避するための引き残しを設定する必要もないため、枠内で引戸を最大限に活用できる。
【図面の簡単な説明】
【００１８】
【図１】本発明の一実施形態に係るピンシリンダ錠の構成を概略的に示す分解斜視図である。
【図２】図１のピンシリンダ錠の構成を概略的に示す平面図である。
【図３】図１のピンシリンダ錠の構成及び使用状態を示す一部断面図である。
【図４】図１のピンシリンダ錠の構成及び使用状態を示す一部断面図である。
【発明を実施するための形態】
【００１９】
以下、本発明に係るピンシリンダ錠の実施形態を、図を参照して説明する。
【００２０】
図１は本発明の一実施形態に係るピンシリンダ錠１００の各部の構成を分解状態で示している。図２はピンシリンダ錠１００の組立した状態で示しており、同図（ａ）は正面図であり、（ｂ）は側面図であり、（ｃ）は背面図である。図３はピンシリンダ錠１００の構成及び使用状態を示しており、特に、鍵Ｋ挿入前（又は、非対応鍵挿入時）の状態の一部断面を拡大して示している。図４はピンシリンダ錠１００の構成及び使用状態を拡大して示しており、特に、鍵Ｋ挿入状態の一部断面を拡大して示している。
【００２１】
図１〜図４に示すように、本実施形態に係るピンシリンダ錠１００は、外装部材１０と、内筒部材２０と、１対のロック部材３０と、８つのピン４０と、８つの付勢バネ５０と、１対のロックバネ６０と、内筒保持部材７０と、裏カバー８０と、テールピース部材９０とを備えている。
【００２２】
錠ケースを構成する外装部材１０は、その軸線方向長さが短い短円筒形状に形成されており、中央部に内筒部材２０が挿入可能である。この外装部材１０は、軸線方向に伸長する貫通穴１１を有しており、その一端側の外周に鍔部１２が設けられている。また、貫通穴１１の周面に、例えば互いに対向する２つの位置（互いに１８０度離隔した位置）に、それぞれＶ字形の凹部１３が設けられている。本実施形態において、凹部１３は軸線方向に伸長する凹溝で構成されている。また、短円筒形状の外周に切り込み部１４が設けられている。切り込み部１４は、裏カバー８０を装着する際に、位置決め嵌合するためのものである。
【００２３】
内筒部材２０は、円柱形状の外周面２１と、軸線方向に沿った鍵孔２２とを有し、軸線と直交する方向にタンブラである複数のピン４０を摺動可能にそれぞれ配置するための複数（両側それぞれ４つ）のピン孔２３が形成されている。また、内筒部材２０の外周部の互いに対向する２つの位置にそれぞれロック部材３０を収容するための凹状のロック部材装着部２４が形成されている。ロック部材装着部２４の底面２４ａの中央部にロックバネ６０の一端を配置するための凹部が設けられ、また、底面２４ａの両側が下方へ対応するピン孔２３に連通するように構成されている。また、内筒部材２０の後端にリング状凹溝２５が設けられている。この内筒部材２０は、外装部材１０に対して回動自在に嵌挿される。
【００２４】
ロック部材３０は、底部３２と、この底部３２の両端から垂直方向に延びる１対の側部３１とからなる軸線方向視Ｕ字形状に形成されている。底部３２の外側の面に外装部材１０の凹部１３に嵌入可能な凸部３３が設けられ、底辺３２の内側の面にロックバネ６０を装着するための凹部３４が設けられている。本実施形態において、凸部３３は軸線方向に伸長する凸溝で構成されている。１対の側部３１の先端部３１ａは、その根元部分より薄く形成されており、ピン４０のリング状凹溝４１内に挿入可能に形成されている。
【００２５】
ピン４０は、先端が尖った形状に形成され、外周面の所定位置にリング状凹溝４１が設けられている。リング状凹溝４１の幅は、ロック部材３０の１対の側部３１の先端部３１ａが嵌入できるように形成されている。リング状凹溝４１の位置は、対応する鍵Ｋ上の穴の大きさ（深さ）によって、即ち、ピン４０の鍵孔２２への突出量によって異なる。本実施形態では、２種類のピンを有する。ピン４０は、ピン孔２３に摺動可能に収容できるように構成されている。また、本実施形態において、内筒部材２０の両側にそれぞれ４つ、計８つのピン４０を用いている。
【００２６】
ピンバネ５０は、ピン４０を内側方向へ付勢するためのコイルバネである。ピンバネ５０の一端はピン４０に当接し、他端は内筒部材２０の外周面の一部を構成する押さえ片Ｓにより押さえられ、ピン４０を内側方向へ付勢するようにピン孔２３内における外周側部分に装着されている。
【００２７】
ロックバネ６０は、ロック部材３０をロック部材装着部２４から放射方向外向きに付勢するためのコイルバネである。ロックバネ６０の一端はロック部材装着部２４の底面２４ａに当接し、他端はロック部材３０の凹部３４に当接し、ロック部材３０を放射方向外向きに付勢するように装着されている。
【００２８】
内筒保持部材７０は、ばね性を有する開口リングによって構成されている。この内筒保持部材７０は、内筒部材２０が外装部材１０に嵌挿された状態で内筒部材２０の後端のリング状の溝２５に嵌入することで内筒部材２０を外装部材１０に対して回動可能に保持するように構成されている。この内筒保持部材７０により内筒部材２０が外装部材１０から抜け出すことを阻止することができる。
【００２９】
裏カバー８０は、中央にテールピース部材９０を挿通するための軸線方向に伸長する貫通穴８１を有するものである。また、裏カバー８０には、外装部材１０に取り付けるための取り付け穴８２が設けられると共に、ドアや引戸などに装着される際に対向する側のエスカッションを固定するためのスクリューガイド８３が設けられている。
【００３０】
テールピース部材９０は、円板９１と、円板９１の片側の面に突き出すように設けられた角柱状部９２と、円板９１の反対側の面に形成された凹部９３とから構成されている。凹部９３は鍵Ｋの先端部に係合することができ、鍵Ｋの回転に連動してテールピース部材９０が回動するように構成されている。
【００３１】
次に、本実施形態におけるピンシリンダ錠１００の動作について、ピン４０が位置する断面を拡大して示す図３及び図４を参照して説明する。
【００３２】
図３は、鍵Ｋが挿入されていない場合のピンシリンダ錠１００の状態を示している。同図に示すように、鍵Ｋが挿入されていない場合、ピン４０は、ピンバネ５０により内側方向に付勢され、内筒部材２０の中心よりに位置している。この場合、シャーラインが合わないため、ロック部材３０の１対の側部３１の先端部３１ａはピン４０の外周面に当接して止まっており、ロック部材３０の凸部３３は内筒部材２０内に収容されず、ロック部材３０の凸部３３が外装部材１０の凹部１３に嵌合する状態となっている。このため、内筒部材２０の回動は不可能となる。
【００３３】
図４は、鍵Ｋが挿入されている場合のピンシリンダ錠１００の状態を示しており、（ａ）は内筒部材２０が回転前の状態を示しており、（ｂ）は内筒部材２０が回転した状態を示している。図４に示すように、キー穴が合致する鍵Ｋを挿入した状態においては、鍵Ｋの側面のキー穴形状によりピン４０が外側方向にスライドすることで、シャーラインが合う状態となる。これによって、ロック部材３０の１対の側部３１の先端部３１ａが全てのピン４０のリング状凹溝４１に嵌入することが可能となる。この状態で鍵Ｋを回すと、ロック部材３０が外装部材１０内面によりロックバネ６０の付勢力を反して放射方向内向きに押圧され、ロック部材３０の凸部３３を内筒部材２０内に収容することができ、内筒部材２０が回転可能になる。この状態は解錠可能の状態である。
【００３４】
ロック部材３０の凸部３３が外装部材１０の凹部１３に嵌合する位置になると、ロックバネ６０の付勢力によりロック部材３０が放射方向外向きへ移動し、ロック部材３０の１対の側部３１の先端部３１ａがピン４０のリング状凹溝４１から抜け出た状態となり、鍵Ｋを鍵孔２２から抜き出すことができる。一方、ロック部材３０の凸部３３が外装部材１０の凹部１３に嵌合する位置以外の位置では、内筒部材２０が回転可能であるが、ピン４０の移動が不可のため、鍵Ｋを鍵孔２２から抜き出すことができない。
【００３５】
また、ロックバネ６０によりロック部材３０を放射方向外向きへ付勢することで、ロック部材３０は、外装部材１０のＶ字形の凹部１３に嵌入する際にクリックボールとして機能することができる。
【００３６】
このように本実施形態においては、ピンシリンダ錠１００は、外装部材１０と、内筒部材２０と、１対のロック部材３０と、複数のピン４０と、複数の付勢バネ５０と、ロックバネ６０、内筒保持部材７０と、裏カバー８０と、テールピース部材９０とを備え、対応する鍵Ｋを鍵孔２２に挿入した状態で、ロック部材３０の凸部３３が内筒部材２０内に収容可能となって内筒部材２０が回動可能となるように構成されている。
【００３７】
これにより、従来のピンシリンダ錠のように外筒部を設ける必要がなく、少ないパーツで安価に製造でき、かつ、シリンダ部の全長が短くても鍵違い数の多いピンシリンダ錠を製造することができる。また、扉又は引戸に装着される場合、扉又は引戸の表面からの突出が少ない、美観を損ねなく、また、引戸に使用される場合は、開錠後に引戸を全開する場合も戸袋内に収まることができ、シリンダ部の衝突による破損もなく、かつ衝突を回避するための引き残しを設定する必要もない、枠内で引戸を最大限に活用できる。
【００３８】
また、内筒部材２０の外周部の互いに対抗する２つの位置にそれぞれロック部材３０を設けることで、ピン４０の数を増えることができ、鍵違い数の多いピンシリンダ錠を提供することができる。
【００３９】
ロック部材３０がクリックボールとして機能するように構成されていることで、従来のようにシリンダ後端部にクリックボールを設ける必要がなく、シリンダ全長を短縮することができ、そのため、装着されるドアや引戸の表面から大きく突出することがなく、デザイン性を向上させることができる。
【００４０】
さらに、外装部材１０の背面側を覆う裏カバー８０と、鍵Ｋ又は内筒部材２０に係合可能であり、鍵Ｋ又は内筒部材２０により回動されるテールピース部材９０とを備えることで、レバー錠、鎌錠、ロッカー錠などを容易に構成することができる。
【００４１】
なお、上述した実施形態においては、１対のロック部材３０を設けている例について説明したが、これに限定されるものではない。例えば、１つのロック部材又は３つ以上のロック部材を設けても良い。
【００４２】
また、上述した実施形態においては、内筒部材２０の両側にそれぞれ４つ、計８つのピン４０を用いた例について説明したが、本発明はこれに限定されるものではない。
【００４３】
さらに、上述した実施形態においては、裏カバー８０と、テールピース部材９０とを備えている例について説明したが、本発明はこれに限定されるものではない。
【００４４】
さらにまた、上述した実施形態においては、リング状凹溝４１を位置違いで設けた２種類のピン４０を有する例について説明したが、本発明はこれに限定されるものではない。
【産業上の利用可能性】
【００４５】
この発明のピンシリンダ錠は、扉又は引戸等のレバー錠、鎌錠、ロッカー錠などに利用できる。
【符号の説明】
【００４６】
１０  外装部材
１１、８１  貫通穴
１２  鍔部
１３、３４、９３  凹部
１４  切り込み部
２０  内筒部材
２１  外周面
２２  鍵孔
２３  ピン孔
２４  ロック部材装着部
２４ａ  底面
２５  リング状の溝
３０  ロック部材
３１  側部
３１ａ  端部
３２  底部
３３  凸部
４０  ピン
４１  リング状凹溝
５０  ピンバネ
６０  ロックバネ
７０  内筒保持部材
８０  裏カバー
８１  貫通穴
８２  取り付け穴
８３  スクリューガイド
９０  テールピース部材
９１  円板
９２  角柱状部
１００  シリンダ錠
Ｋ  鍵
Ｓ  押さえ片
【図１】
2017193832.tif 000003
【図２】
2017193832.tif 000004
【図３】
2017193832.tif 000005
【図４】
2017193832.tif 000006